(57)【特許請求の範囲】
【請求項１】
顧客が予め購入したプリペイド金額情報を記憶する携帯型通信装置と、
前記携帯型通信装置に記憶されたプリペイド金額情報を読み取る情報読み取り手段と、
前記プリペイド金額情報を記憶する記憶部を有する管理装置と、を備えており、
前記管理装置は、
前記情報読み取り手段により読み取られたプリペイド金額情報と前記記憶部に記憶されたプリペイド金額情報とを照合する照合手段と、
該照合手段による照合結果に応じて給油許可を出力する許可手段とを有することを特徴とする燃料供給システム。
【請求項２】
前記管理装置は、顧客が予め購入したプリペイド金額の入金情報を前記携帯型通信装置に送信する情報送信手段を有し、
前記携帯型通信装置は、既に記憶されていたプリペイド金額情報を前記情報送信手段により送信されたプリペイド金額の入金情報に更新する更新手段を有することを特徴とする請求項１記載の燃料供給システム。
【請求項３】
前記管理装置は、顧客を特定するための氏名及びプリペイド金額を含む個人情報及び顧客が所有する携帯型通信装置の認証情報が登録されたデータベースと、
前記携帯型通信装置に記憶された認証情報を読み取ることにより、前記データベースを検索して当該顧客の個人情報を認識する認証手段と、
を有することを特徴とする請求項１記載の燃料供給システム。
【請求項４】
前記照合手段は、前記情報読み取り手段により読み取られたプリペイド金額情報と前記記憶部に記憶されたプリペイド金額情報とを照合した結果、差異があった場合には異常を報知する報知手段を有することを特徴とする請求項１記載の燃料供給システム。
【請求項５】
前記管理装置は、供給された燃料の料金を顧客のプリペイド金額から減算する決済手段と、
該決済手段により減算された決済金額情報を前記携帯型通信装置に送信する決済情報送信手段を有し、
前記携帯型通信装置は、既に記憶されていたプリペイド金額情報を前記決済情報送信手段により送信された決済金額情報に更新する更新手段を有することを特徴とする請求項１記載の燃料供給システム。
【発明の詳細な説明】
【０００１】
【発明の属する技術分野】
本発明は燃料供給システムに係り、特に携帯型通信装置を用いて燃料の供給の許可及び料金のプリペイド決済を行う燃料供給システムに関する。
【０００２】
【従来の技術】
車両の燃料タンクにガソリンや軽油などの燃料を供給する燃料供給システムとしては、例えば、給油所に設置されたセルフサービス方式の給油システムがある。このセルフサービス方式の燃料供給システムでは、顧客の車両が到着すると、顧客自身が燃料タンクの給油口に給油ノズルを挿入して給油を行う。給油が終了すると、燃料タンクに給油された給油量に応じた金額（給油量×単価＋消費税）が記載された伝票が発行される。
【０００３】
顧客は、この伝票を持って事務所に移動し、事務所内のレジにて給油料金を支払って決済している。
【０００４】
また、給油装置の近傍に現金支払いを受け付ける現金自動支払機が設置されている場合には、給油前の現金を投入することで、その金額に対応する給油量のプリセット給油が許可される。そのため、給油された給油量がプリセット値よりも少ない場合には、つり銭の払い出しが必要になり、設定されたプリセット値を給油した後に追加の給油を行う場合には、現金の追加投入が必要になる。
【０００５】
また、給油装置の近傍にプリペイドカードまたはクレジットカードが挿入されるカードリーダのカード挿入口があるときは、給油前にプリペイドカードまたはクレジットカードをカードリーダのカード挿入口に挿入して給油許可を取得した後、顧客自身が燃料タンクの給油口に給油ノズルを挿入して給油を行う。給油が終了すると、燃料タンクに給油された給油量に応じた金額（給油量×単価＋消費税）がプリペイドカードの磁気記録部に記録された料金度数から減算されて、あるいは給油装置に接続されたＰＯＳ端末機によってクレジットカードのカード番号が登録された銀行口座に今回給油した料金を請求するための処理を行う。
【０００６】
【発明が解決しようとする課題】
しかしながら、上記のような支払い方法では、例えば給油所の事務所で給油料金を現金で支払う場合、顧客が給油終了後、事務所まで移動しなければならず、面倒であるばかりか、急いでいるときは料金を清算するまでの待ち時間が長く感じられ、いらいらするといった不満が生じる。
【０００７】
また、現金自動支払機を用いて現金で給油料金を支払う方法では、常につり銭の有無を監視して小銭の補充をしたり、投入された現金を定期的に回収しなければならない。
【０００８】
また、クレジットカードで給油料金を清算する方法では、財布の中で煩雑する複数のカードの中から目的とするカードを取り出すといった煩わしさがあり、しかもカード会社によって使用できないカードもあり、複数のクレジットカードを所持していないと給油できない場合がある。
【０００９】
また、プリペイドカードで給油料金を清算する方法では、予めプリペイドカードを購入しなければならず、プリペイドカードに記憶された残り度数が少ない場合には、希望する給油量を給油できないことがある。
【００１０】
また、プリペイドカードを購入した顧客がプリペイドカードを自宅や会社などに忘れた場合、既に料金を先払いしているのに給油が行えないといったという問題が発生するおそれがある。
【００１１】
さらに、顧客が購入したプリペイドカードを紛失してしまった場合には、購入金額などの金銭情報も紛失してしまうため、給油所側では、金銭的な救済手段がない。従って、顧客は紛失したプリペイドカードに記憶されている残額を取り戻すことができず、残額分を給油することができない。
【００１２】
そこで、本発明は、上記の点に鑑み上記課題を解決した燃料供給システムを提供することを目的とする。
【００１３】
【課題を解決するための手段】
本発明は、上記課題を解決するため、以下の特徴を有する。
上記請求項１記載の発明は、顧客が予め購入したプリペイド金額情報を記憶する携帯型通信装置と、携帯型通信装置に記憶されたプリペイド金額情報を読み取る情報読み取り手段と、プリペイド金額情報を記憶する記憶部を有する管理装置と、を備えており、管理装置は、情報読み取り手段により読み取られたプリペイド金額情報と記憶部に記憶されたプリペイド金額情報とを照合する照合手段と、照合手段による照合結果に応じて給油許可を出力する許可手段とを有するものであり、顧客が携帯型通信装置を所持していれば携帯型通信装置よりプリペイド金額情報を読み取って燃料料金を清算することが可能になり、現金またはプリペイドカードやクレジットカードがなくても燃料の供給が行える。
【００１４】
また、請求項２記載の発明は、管理装置が、顧客が予め購入したプリペイド金額の入金情報を携帯型通信装置に送信する情報送信手段を有し、携帯型通信装置は、既に記憶されていたプリペイド金額情報を情報送信手段により送信されたプリペイド金額の入金情報に更新する更新手段を有するものであり、携帯型通信装置に記憶されたプリペイド金額情報を自動的に更新することが可能になり、携帯型通信装置に記憶されたプリペイド金額を常に最新の金額に更新できる。
【００１５】
また、請求項３記載の発明は、顧客を特定するための氏名及びプリペイド金額を含む個人情報及び顧客が所有する携帯型通信装置の認証情報が登録されたデータベースと、携帯型通信装置に記憶された認証情報を読み取ることにより、データベースを検索して当該顧客の個人情報を認識する認証手段と、を有するものであり、顧客が携帯型通信装置を所持していれば予め登録してある個人情報を入力することによって当該顧客のプリペイド金額を確認して燃料を供給することが可能になる。
【００１６】
また、請求項４記載の発明は、情報読み取り手段により読み取られたプリペイド金額情報と記憶部に記憶されたプリペイド金額情報とを照合した結果、差異があった場合には異常を報知する報知手段を有するものであり、プリペイド金額に異常があるのか、あるいは正常であるのかを確認することが可能になる。
【００１７】
また、請求項５記載の発明は、供給された燃料の料金を顧客のプリペイド金額から減算する決済手段と、決済手段により減算された決済金額情報を携帯型通信装置に送信する決済情報送信手段を有し、携帯型通信装置は、既に記憶されていたプリペイド金額情報を決済情報送信手段により送信された決済金額情報に更新する更新手段を有するものであり、プリペイド金額による決済が行われたことを携帯型通信装置で確認することが可能になる。
【００１８】
【発明の実施の形態】
以下、図面と共に本発明の実施の形態について説明する。
図１は本発明になる燃料供給システムの一実施例の構成を示すブロック図である。
【００１９】
図１に示されるように、給油所の燃料供給システム１０は、給油所の事務所１２に設置された給油所管理装置１６と、給油を行うフィールド１７に設置されたセルフサービス方式の給油装置２０ａ，２０ｂ及び設定器２２ａ，２２ｂとから構成される。事務所１２の給油所管理装置１６は、顧客がプリペイドカード金額を入金する入金機１４に接続されている。また、給油所管理装置１６は、公衆回線２４を介して外部の系列ＳＳや元売り会社の管理装置２５と接続されている。
【００２０】
また、給油所管理装置１６は、通信回線（ＳＳ−ＬＡＮ）２６を介して給油装置２０ａ，２０ｂ及び設定器２２ａ，２２ｂとデータ通信可能に接続されており、給油装置２０ａ，２０ｂに対して給油許可または給油禁止を指示する。尚、給油所管理装置１６は、ＰＯＳ機能を有するパーソナルコンピュータなどから構成されている。
【００２１】
給油装置２０ａ，２０ｂは、携帯型電話機（携帯型通信装置）１８を使用して給油料金を決済するプリペイド決済方式をメインの支払い方法として給油が行えるように構成されている。携帯型電話機１８は、プリペイド金額データ（金額情報）、ＩＤ番号（情報顧客特定情報）等が記憶された記憶部（ＩＣメモリ）と、プリペイド金額から給油料金を減算した決済情報を受信する機能を有する。
【００２２】
給油装置２０ａ，２０ｂは、油種（例えば、ハイオク、レギュラー、軽油など）毎の給油ノズル（図示せず）を有しており、顧客自身が給油ノズルを操作してセルフサービスで給油を行う構成になっている。
【００２３】
設定器２２ａ，２２ｂは、通信回線２６に接続された制御部２８ａ，２８ｂと、設定項目やガイダンスを表示する表示器３０ａ，３０ｂと、顧客の携帯型電話機１８から顧客を特定するための顧客情報（認証情報）を読み取るバーコードリーダ（情報読み取り手段）３２ａ，３２ｂと、給油量や油種を手動設定するためのテンキー３４ａ，３４ｂとから構成されている。また、設定器２２ａ，２２ｂは、図１において、給油装置２０ａ，２０ｂと別体に示してあるが、実際には給油装置２０ａ，２０ｂに内蔵されており、制御部２８ａ，２８ｂが給油装置２０ａ，２０ｂの制御部として機能している。
【００２４】
尚、本実施例では、フィールド１７に２つの給油スペースを設けた構成を一例として示したが、３つ以上の給油装置、設定器を設ける構成としても良いのは勿論である。
【００２５】
元売り会社の管理装置２５は、後述するように記憶装置２５ａに記憶された各携帯型電話機１８毎のＩＤ番号及び給油金額、給油履歴を管理しており、任意の携帯型電話機１８を用いた給油による決済を有効または無効にする機能を有する。
【００２６】
元売り会社の管理装置２５には、顧客を特定するための氏名及びプリペイド金額を含む個人情報及び顧客が所有する携帯型通信装置の認証情報が登録されたデータベースが格納された記憶装置（記憶部）２５ａが接続されている。
【００２７】
また、記憶装置２５ａには、各顧客の携帯型電話機１８に記憶されているプリペイド金額データ及び顧客を特定するためのＩＤ番号と同一のデータ（情報）が記憶されたデータベースが格納されている。
【００２８】
また、管理装置２５の記憶装置２５ａには、バーコードリーダ３２ａ，３２ｂにより読み取られたプリペイド金額情報と記憶されたプリペイド金額情報とを照合する制御プログラムＩ（照合手段）と、照合結果に応じて給油許可を出力する制御プログラムII（許可手段）と、顧客が予め購入したプリペイド金額情報を顧客の携帯型電話機１８に送信する制御プログラムIII（情報送信手段）とが格納されている。
【００２９】
さらに、記憶装置２５ａには、携帯型電話機１８に記憶された認証情報を読み取ることにより、データベースを検索して当該顧客の個人情報を認識する制御プログラムIV(認証手段)と、携帯型電話機１８から読み取られたプリペイド金額情報と記憶装置２５ａに記憶されたプリペイド金額情報とを照合した結果、差異があった場合には異常を給油所管理装置１６に報知する制御プログラムＶ（報知手段）と、供給された燃料の料金を顧客のプリペイド金額から減算する制御プログラムVI(決済手段)と、給油料金が減算されたプリペイド金額情報を携帯型電話機１８に送信する制御プログラムVII(決済情報送信手段) とが格納されている。
【００３０】
図２（Ａ）（Ｂ）は管理装置２５の記憶装置２５ａに格納されるデータベースを模式的に示す図である。
図２（Ａ）に示されるように、新規の顧客が所有する携帯型電話機１８によるプリペイド決済を申し込むと、当該携帯型電話機１８に対するＩＤ（暗証番号、電話番号）及び顧客の住所、氏名、登録日（購入日）がデータベース２５ａ１に登録される。
【００３１】
図２（Ｂ）に示されるように、データベース２５ａ２には、各顧客の携帯型電話機１８によるプリペイド決済の給油履歴（給油日、油種、給油量、給油料金、残額、精算方法、入金金額、有効／無効等）が登録される。
【００３２】
従って、給油所管理装置１６は、ＩＤ（暗証番号、電話番号）に基づいて記憶装置２５ａのデータベース２５ａ１から携帯型電話機１８のＩＤ（暗証番号、電話番号）に対応する特定の顧客（住所、氏名、登録日）を検索することができると共に、当該携帯型電話機１８の給油履歴（給油日、油種、給油量、給油料金、残額、精算方法、入金金額、有効／無効等）を抽出することができる。
【００３３】
図３は携帯型電話機１８の正面図である。
図３に示されるように、携帯型電話機１８は、内部にＣＰＵ及びＩＣメモリ、送受信部（共に図示せず）を有すると共に、ハウジング１８ａの前面に液晶モニタ（ＬＣＤ）４０、マイク４１、スピーカ４２が設けられている。また、ハウジング１８ａの上端には、伸縮可能なアンテナ４３が収納されている。
【００３４】
さらに、ハウジング１８ａの前面には、オンキー４４、オフキー４５、テンキー４６、リダイヤルキー４７、インターネットキー４８、カーソルキー４９、クリアキー５０が配置されている。
【００３５】
また、携帯型電話機１８に内蔵されたメモリには、当該携帯型電話機１８の暗証番号及び電話番号及びプリセット金額を含む当該顧客固有のデータから作成されたバーコードデータが認証情報として記憶されている。
【００３６】
携帯型電話機１８のＣＰＵは、元売り会社の管理装置２５から送信されたバーコードデータを受信することで、バーコード４０ａ及び顧客のプリペイド金額４０ｂを液晶モニタ（ＬＣＤ）４０に表示させる。また、携帯型電話機１８のＣＰＵは、予め決められたキー操作によってメモリに記憶されたバーコードデータにより作成されたバーコード４０ａを液晶モニタ（ＬＣＤ）４０に表示させることも可能である。
【００３７】
この液晶モニタ（ＬＣＤ）４０に表示されたバーコード４０ａは、給油する前にバーコードリーダ３２ａ，３２ｂに読み取らせることで、当該携帯型電話機１８を所有する顧客を認識させて給油許可を得るための身分証となるものである。給油所管理装置１６では、バーコードリーダ３２ａまたは３２ｂにより読み取られたバーコード４０ａの読み取りデータ（以下「バーコードデータ」）を公衆回線１４を介して元売り会社の管理装置２５に送信する。
【００３８】
そして、元売り会社の管理装置２５では、受信したバーコード４０ａに基づいて該当する顧客を検索し、該当する顧客名が抽出されると、その顧客のプリペイド金額を上限値とする給油許可を給油所管理装置１６へ送信する。これにより、給油所管理装置１６では、給油許可を給油装置２０ａまたは２０ｂに送信する。
【００３９】
ここで、設定器２２ａの制御部２８ａが実行する制御処理について説明する。図４は給油所管理装置１６、給油装置２０ａ（設定器２２ａの制御部２８ａ）、元売り会社の管理装置２５が実行する制御処理を説明するためのフローチャートである。
【００４０】
携帯型電話機１８を用いたプリペイド決済によるセルフサービス方式の給油を行う顧客は、最初に給油所に到着した際に会員登録を行う必要がある。
図４に示されるように、給油所管理装置１６は、ステップＳ１１（以下「ステップ」を省略する）で会員登録を行う。会員登録は、事務所もしくは携帯型電話機１８を用いてインターネット上から行える。会員登録を行う場合、当該顧客の住所、氏名、年齢や顧客の所持する携帯型電話機１８の電話番号、メールアドレス、個人認証情報などの入力が必要となる。
【００４１】
Ｓ１２では、プリペイド金額が入金機１４から入金されたことを確認する。これら会員登録時の情報は、Ｓ１３で公衆回線２４を介して元売りの管理装置２５に送信され、データベース２５ａ１に保管される。また、Ｓ１４では、元売り管理装置１６から顧客の携帯型電話機１８に顧客情報およびプリペイド金額情報であるバーコード４０ａと残額（図３参照）を送信する。これで、会員登録の処理が終了する。尚、既に会員登録が済んでいる顧客の場合には、上記Ｓ１１〜Ｓ１４の処理が省略される。
【００４２】
また、Ｓ１５で給油装置２０ａの制御部２８ａは、携帯型電話機１８の液晶モニタ４０に表示されたバーコード４０ａをバーコードリーダ３２ａにより読み取る。バーコードリーダ３２ａにより読み取られたバーコード４０ａのバーコードデータは、元売り会社の管理装置２５に送信される。
【００４３】
管理装置２５では、バーコード４０ａのバーコードデータを受信すると、Ｓ１６において、携帯型電話機１８のＩＤ（暗証番号、電話番号）に対応する特定の顧客（住所、氏名、登録日）を記憶装置２５ａに格納されたデータベース２５ａ１，２５ａ２から検索する。そして、Ｓ１７では、Ｓ１６で抽出された顧客のプリペイド金額（残額）が所定金額（例えば、百円）以上あることを確認する。
【００４４】
管理装置２５は、Ｓ１７において、顧客のプリペイド金額（残額）が所定金額未満であるときは、Ｓ１８に進み、残額不足情報を給油所管理装置１６に送信する。これにより、給油所管理装置１６は、表示器３０ａに残額不足を表示して顧客に知らせた後、入金処理へ移行する。
【００４５】
また、Ｓ１７において、顧客のプリペイド金額（残額）が所定金額以上であるときは、給油装置２０ａの制御部２８ａは、Ｓ１９で、プリペイド金額（残額）を上限値として給油可能金額を設定する。
【００４６】
次のＳ２０では、プリペイド金額（残額）に対応する給油量を上限値としてプリセット給油が設定される。Ｓ２１では、給油装置２０ａで給油が開始されたことを確認すると、Ｓ２２に進み、給油量がＳ２０で設定された設定給油量に達したかどうかをチェックする。
【００４７】
Ｓ２２において、給油量がＳ２１で設定された設定給油量に達していないときは、Ｓ２３に移行して給油を中止したかどうかをチェックする。Ｓ２３において、給油を中止していないときは、Ｓ２２に戻る。また、Ｓ２２において、給油量が設定給油量に達したとき、あるいは、Ｓ２３において、給油を中止したときは、Ｓ２４に進み、給油結果（装置番号、油種、給油量、給油金額など）を給油所管理装置１６及び公衆回線２４を介して元売り会社の管理装置２５へ送信する。
【００４８】
Ｓ２５で、元売り会社の管理装置２５は、記憶装置２５ａに記憶されている当該顧客のプリセット金額から今回の給油金額を減算してプリセット金額を更新する。そして、Ｓ２６では、上記更新されたプリセット金額データを含むバーコードデータを当該顧客が所有する携帯型電話機１８へ送信する。そのため、次回の給油の際には、更新されたバーコードで認証が行われて給油が可能になる。これで、携帯型電話機１８を用いたセルフサービス方式の給油処理が終了する。
【００４９】
このように、顧客が携帯型電話機１８を所持していれば、現金を持っていなくても給油することができ、携帯型電話機１８に記憶されたプリペイド金額を常に最新の金額に更新できるので、プリペイドカードやクレジットカードなどよりも扱いやすい。
【００５０】
次に、顧客が携帯型電話機１８を忘れて給油所に到着した場合の処理手順について図５を参照して説明する。尚、顧客は、上記バーコード入力ができない場合には、暗証番号を手動操作で入力する。
図５に示されるように、顧客が携帯型電話機１８を忘れて給油所に到着した場合、給油所管理装置１６では、Ｓ３１において、設定器２２ａのテンキー３４ａの操作により顧客を特定するための個人認証情報である暗証番号が入力されたことを確認する。
【００５１】
Ｓ３１でテンキー３４ａの操作により暗証番号が入力されると、Ｓ３２に進み、入力された暗証番号を通信回線２６を介して給油所管理装置１６に転送する。給油所管理装置１６は公衆回線１４を介して元売り管理装置２５に暗証番号を送信する。
【００５２】
次のＳ３３で元売り会社の管理装置２５は、入力された暗証番号に基づき記憶装置２５ａに格納されたデータベース２５ａ１，２５ａ２を検索する。続いて、Ｓ３４に進み、データベース２５ａ１，２５ａ２から抽出された携帯型電話機１８のＩＤ（暗証番号、電話番号）に対応する特定の顧客（住所、氏名、登録日）のプリペイド金額情報を給油管理装置１６に送信する。
【００５３】
次のＳ３５〜Ｓ４４は、前述したＳ１７〜Ｓ２６の処理と同様であるので、その説明は省略する。
【００５４】
Ｓ４５で元売り会社の管理装置２５は、Ｓ４４で給油料金の決済により更新されたバーコード情報（プリペイド金額情報）を顧客の携帯型電話機１８に送信すると同時に、更新されたプリペイド金額情報を公衆回線２６を介して給油所管理装置１６にも送信する。
【００５５】
次のＳ４６で給油所管理装置１６は、通信回線１４を介して設定器２２ａの表示器３０ａに表示させる。これにより、顧客は今回給油された料金がプリペイド金額から決済されたことが確認される。また、次回給油には、Ｓ４４で携帯型電話機１８に送信されたバーコードを利用して給油を行うことができる。
【００５６】
図６は給油所管理装置１６、給油装置２０ａの制御部２８ａが実行する制御処理の変形例を説明するためのフローチャートである。尚、当該変形例では、前述した記憶装置２５ａが給油所管理装置１６に接続されており、上記データベース２５ａ１，２５ａ２が給油所管理装置１６によって管理されている。
【００５７】
図６に示されるように、Ｓ５１において、給油装置２０ａの制御部２８ａは、携帯型電話機１８の液晶モニタ４０に表示されたバーコード４０ａがバーコードリーダ３２ａにより読み取られたかどうかをチェックする。Ｓ５１において、バーコードリーダ３２ａがバーコード４０ａを読み取ると、バーコード４０ａのバーコード情報からプリペイド金額（残額）を抽出し、Ｓ５３で、抽出された顧客のプリペイド金額（残額）が所定金額（例えば、百円）以上あることを確認する。
【００５８】
Ｓ５３において、顧客のプリペイド金額（残額）が所定金額未満であるときは、Ｓ５４に進み、残額不足を表示して顧客に知らせた後、入金処理へ移行する。
【００５９】
また、Ｓ５３において、顧客のプリペイド金額（残額）が所定金額以上であるときは、Ｓ５５に進み、携帯型電話機１８の液晶モニタ４０に表示されたバーコード４０ａを読み取ったバーコード情報から得られたプリペイド金額情報Ｐ１を通信回線２６にて給油所管理装置１６に送信する。
【００６０】
続いて、Ｓ５６で給油所管理装置１６は、記憶装置２５ａに格納されたデータベース２５ａ１，２５ａ２を検索し、バーコード情報に対応するプリペイド金額情報Ｐ２を抽出する。続いて、Ｓ５７に進み、データベース２５ａ１，２５ａ２内に記憶されているプリペイド金額情報Ｐ２と受信したプリペイド金額情報Ｐ１とを照合する。
【００６１】
Ｓ５７において、データベース２５ａ１，２５ａ２内に記憶されているプリペイド金額情報Ｐ２と受信したプリペイド金額情報Ｐ１が等しくない場合には、バーコード情報の不正使用もしくは何らかのトラブルが発生したと判断してＳ５８に進み、給油所のアラームによる報知、あるいは給油所管理装置１６のモニタに異常発生を報知する。そして、今回の給油処理を中止する。
【００６２】
このように、携帯型電話機１８の液晶モニタ４０に表示されたバーコード４０ａを読み取ったバーコード情報から得られたプリペイド金額情報Ｐ１と、データベース２５ａ１，２５ａ２内に記憶されているプリペイド金額情報Ｐ２とが一致することで、バーコード情報の信頼性が高まり、正確なプリペイド決済が可能になると共に、バーコード情報の不正使用を防止してセキュリティ性も高められている。
【００６３】
また、上記Ｓ５７において、データベース２５ａ１，２５ａ２内に記憶されているプリペイド金額情報Ｐ２と受信したプリペイド金額情報Ｐ１が等しい場合（Ｐ１＝Ｐ２）には、Ｓ６０で給油装置２０ａの制御部２８ａに給油許可を与える。
【００６４】
給油装置２０ａの制御部２８ａは、給油許可が受信されたときは、Ｓ６１以降の処理を実行する。尚、Ｓ６１〜Ｓ６８の処理は、前述したＳ１９〜Ｓ２６の処理と同一であるので、その説明は省略する。
【００６５】
次に携帯型電話機１８を用いてプリペイド金額の入金を行う際のプリペイドバリューの購入方法及びその制御処理について説明する。
図７はプリペイド金額の入金操作を行う際に携帯型電話機１８の制御部が実行する制御処理を説明するためのフローチャートである。
【００６６】
図７に示されるように、Ｓ７１において、携帯型電話機１８の制御部は、燃料の元売り会社が提供するインターネット上のサイトに接続したかどうかをチェックする。Ｓ７１において、携帯型電話機１８がインターネット上のサイトに接続されると、Ｓ７２に進み、プリペイド金額の増額モードあるいはプリペイド金額の残高照会モードのどちらを選択したかを確認する。
【００６７】
Ｓ７２において、顧客がプリペイド金額の残高照会モードを選択した場合には、Ｓ７３に進み、会員登録時に登録した暗証番号が入力されたかどうかをチェックする。Ｓ７３において、正しい暗証番号が入力されたときは、元売り管理装置２５（または給油所管理装置１６）に暗証番号が送信されて暗証番号に対応するプリペイド金額の検索が行われる。尚、入力された暗証番号が間違っているときは、今回の処理が中止される。
【００６８】
そして、Ｓ７４では、元売り管理装置２５（または給油所管理装置１６）から送信された暗証番号に対応するプリペイド金額の検索結果が受信されると、Ｓ７５に進み、検索結果のプリペイド金額を携帯型電話機１８の液晶モニタ４０に表示する。このように、顧客は、携帯型電話機１８を操作して簡単に現在のプリペイド金額を確認することができる。
【００６９】
また、上記Ｓ７２において、顧客がプリペイド金額の増額モードを選択したときは、Ｓ７６に進み、会員登録時に登録した暗証番号が入力されたかどうかをチェックする。Ｓ７６において、正しい暗証番号が入力されたときは、元売り管理装置２５（または給油所管理装置１６）に暗証番号が送信されて暗証番号に対応するプリペイド金額の検索が行われる。尚、入力された暗証番号が間違っているときは、今回の処理が中止される。
【００７０】
そして、Ｓ７７では、元売り管理装置２５（または給油所管理装置１６）から送信された暗証番号に対応するプリペイド金額の検索結果が受信されると、Ｓ７８に進み、検索結果のプリペイド金額を携帯型電話機１８の液晶モニタ４０に表示する。
【００７１】
次のＳ７９では、増額するための入金方法の選択を行うため、携帯型電話機１８の液晶モニタ４０に入金方法のメニューが表示される。入金方法のメニューには、例えば、現金、クレジット、ネットバンクを利用した増額方法などの選択肢が表示される。
【００７２】
顧客は、入金方法を選択することにより、Ｓ８０でプリペイドバリューを購入することとなる。そして、Ｓ８１では、増額処理によって増額されたプリペイド金額情報を基にデータベース２５ａ２の内容を更新する。
【００７３】
続いて、Ｓ８２では、元売り管理装置２５（または給油所管理装置１６）で更新されたバーコード情報を受信して液晶モニタ４０に表示する。これにより、顧客は、液晶モニタ４０の表示によりプリペイド金額が増額されたことを確認する。
【００７４】
尚、本実施例では、プリペイドバリューの購入方法として、インターネット利用する方法を例に挙げて説明したが、これに限らず、情報交換手段であれぱインターネット以外の通信手段を利用しても良いのは、言うまでもない。
【００７５】
また、上記実施例では、携帯型電話機１８を携帯型通信装置として利用する方法について説明したが、これに限らず、携帯型電話機１８以外の通信機能を有する端末装置（例えば、携帯型情報端末（ＰＤＡ：パーソナル・デジタル・アシスタントなど）、モバイル機能を有するノート型パーソナルコンピュータ、あるいはＰＨＳ電話機などを用いることも可能である。
【００７６】
【発明の効果】
上述の如く、請求項１記載の発明によれば、顧客が予め購入したプリペイド金額情報を記憶する携帯型通信装置と、携帯型通信装置に記憶されたプリペイド金額情報を読み取る情報読み取り手段と、プリペイド金額情報を記憶する記憶部を有する管理装置と、を備えており、管理装置は、情報読み取り手段により読み取られたプリペイド金額情報と記憶部に記憶されたプリペイド金額情報とを照合する照合手段と、照合手段による照合結果に応じて給油許可を出力する許可手段とを有するため、顧客が携帯型通信装置を所持していれば携帯型通信装置よりプリペイド金額情報を読み取って燃料料金を清算することが可能になり、現金またはプリペイドカードやクレジットカードがなくても燃料供給を行うことができ、利便性を向上させることができる。
【００７７】
また、請求項２記載の発明によれば、管理装置が、顧客が予め購入したプリペイド金額の入金情報を携帯型通信装置に送信する情報送信手段を有し、携帯型通信装置は、既に記憶されていたプリペイド金額情報を情報送信手段により送信されたプリペイド金額の入金情報に更新する更新手段を有するため、携帯型通信装置に記憶されたプリペイド金額情報を自動的に更新することが可能になり、携帯型通信装置に記憶されたプリペイド金額を常に最新の金額に更新でき、プリペイドカードやクレジットカードなどよりも扱いやすく、現金を持っていなくても燃料の供給を受けることができ、利便性を向上させることができる。
【００７８】
また、請求項３記載の発明によれば、顧客を特定するための氏名及びプリペイド金額を含む個人情報及び顧客が所有する携帯型通信装置の認証情報が登録されたデータベースと、携帯型通信装置に記憶された認証情報を読み取ることにより、データベースを検索して当該顧客の個人情報を認識する認証手段と、を有するため、顧客が携帯型通信装置を所持していれば予め登録してある個人情報を入力することによって当該顧客のプリペイド金額を確認して燃料を供給することができる。
【００７９】
また、請求項４記載の発明によれば、情報読み取り手段により読み取られたプリペイド金額情報と記憶部に記憶されたプリペイド金額情報とを照合した結果、差異があった場合には異常を報知する報知手段を有するため、プリペイド金額に異常があるのか、あるいは正常であるのかを確認することができ、不正使用を防止することができるので、セキュリティ性が高められ信頼性が向上する。
【００８０】
また、請求項５記載の発明によれば、供給された燃料の料金を顧客のプリペイド金額から減算する決済手段と、決済手段により減算された決済金額情報を携帯型通信装置に送信する決済情報送信手段を有し、携帯型通信装置は、既に記憶されていたプリペイド金額情報を決済情報送信手段により送信された決済金額情報に更新する更新手段を有するため、プリペイド金額による決済が行われたことを携帯型通信装置で確認することができ、信頼性が向上する。
【図面の簡単な説明】
【図１】本発明になる燃料供給システムの一実施例の構成を示すブロック図である。
【図２】元売り管理装置２５の記憶装置２５ａに格納されるデータベースを模式的に示す図である。
【図３】携帯型電話機１８の正面図である。
【図４】給油所管理装置１６、給油装置２０ａ、元売り会社の管理装置２５が実行する制御処理を説明するためのフローチャートである。
【図５】顧客が携帯型電話機１８を忘れて給油所に到着した場合の処理手順を説明するためのフローチャートである。
【図６】給油所管理装置１６、給油装置２０ａの制御部２８ａが実行する制御処理の変形例を説明するためのフローチャートである。
【図７】プリペイド金額の入金操作を行う際に携帯型電話機１８の制御部が実行する制御処理を説明するためのフローチャートである。
【符号の説明】
１０  燃料供給システム
１４  入金機
１６  給油所管理装置
１８  携帯型電話機
２０ａ，２０ｂ  給油装置
２２ａ，２２ｂ  設定器
２５  元売り会社の管理装置
２５ａ  記憶装置
２８ａ，２８ｂ  制御部
３０ａ，３０ｂ  表示器
３２ａ，３２ｂ  バーコードリーダ
３４ａ，３４ｂ  テンキー
４０  液晶モニタ
【図１】
0004035338.tif 000002
【図２】
0004035338.tif 000003
【図３】
0004035338.tif 000004
【図４】
0004035338.tif 000005
【図５】
0004035338.tif 000006
【図６】
0004035338.tif 000007
【図７】
0004035338.tif 000008